(57)【要約】【課題】様々な診療や商品等のデータと代金支払者自身やその関係者が受けた診療や購入した商品等のデータとをも比較可能で、様々な印字形態のレシートを発行できるＰＯＳレジスタを提供すること。【解決手段】診療機関に配置されるＰＯＳレジスタであって、診療種類を示す部門毎の部門データ、或いは商品毎の商品の名称や値段等の商品データを記憶する記憶手段と、該取引に含まれる部門や商品を特定し記憶手段から読み出す読み出し手段と、該取引に含まれない場合であっても部門又は商品について、レシートに明細として印字するか否かを決定する選択手段と、読み出し手段により読み出された該取引に含まれる部門又は商品に関するデータと、選択手段で前記レシートに印字すると決定された部門又は商品に関するデータとをレシートに明細として印字し発行するレシート発行手段とを備えた。【選択図】図１
2008040978.tif 000002
【特許請求の範囲】
【請求項１】
診療機関に配置され、取引した診療における対価や商品購入の代金の精算の際にレシートを発行するＰＯＳレジスタであって、
診療種類を示す部門毎の部門データ、或いは商品毎の商品の名称や値段等の商品データを記憶する記憶手段と、
該取引に含まれる部門や商品を特定し前記記憶手段から読み出す読み出し手段と、
該取引に含まれない場合であっても部門又は商品について、前記レシートに明細として印字するか否かを決定する選択手段と、
前記読み出し手段により読み出された該取引に含まれる部門又は商品に関するデータと、前記選択手段で前記レシートに印字すると決定された部門又は商品に関するデータとを前記レシートに明細として印字し発行するレシート発行手段と、
を備えたことを特徴とするＰＯＳレジスタ。
【請求項２】
請求項１に記載のＰＯＳレジスタにおいて、
前記選択手段は、前記レシートに印字するか否かを前記部門、商品毎に設定可能であることを特徴とするＰＯＳレジスタ。
【請求項３】
請求項１又は２に記載のＰＯＳレジスタにおいて、
前記記憶手段の前記部門或いは前記商品は、保険の対象となる保険科目データか、保険の対象とならない自費科目データかが識別され、前記保険の対象となる保険科目の部門或いは商品については、該取引に含まれない場合でも前記レシートに明細として印字し、保険の対象とならない自費科目の部門或いは商品については前記選択手段で明細として印字すると選択された部門又は商品について印字させる制御手段とを有することを特徴とするＰＯＳレジスタ。
【請求項４】
請求項１に記載のＰＯＳレジスタにおいて、
前記選択手段により部門又は商品を前記レシートに印字すると選択された場合、予め定まっている該部門や商品毎の保険点数が、前記レシートに印字されることを特徴とするＰＯＳレジスタ。
【請求項５】
診療機関に配置され、取引した診療における対価や商品購入の代金の精算の際にレシートを発行するＰＯＳレジスタであって、
診療種類を示す部門毎の部門データ、或いは商品毎の商品の名称や値段等の商品データを記憶する記憶手段と、
該取引に含まれる部門又は商品を特定し前記記憶手段から読み出す読み出し手段と、
前記記憶手段の部門或いは商品は、保険対象となる保険科目データか否かが識別され、前記読み出し手段により読み出された支払い対象となる部門や商品に関するデータと、該部門や商品以外の保険科目データを前記レシートに明細として印字し発行するレシート発行手段と、
を備えたことを特徴とするＰＯＳレジスタ。
【発明の詳細な説明】
【技術分野】
【０００１】
本発明は、医療機関に配置され、診療行為の対価や商品購入の代金の精算を実行するＰＯＳレジスタに関するものである。
【背景技術】
【０００２】
従来、この種の医療機関に配置されるＰＯＳレジスタでは、代金精算時に発行されるレシートには、代金支払者（主に患者）自身やその関係者（子供等の被保護者）が受けた診療費や購入した商品に関する事項のデータのみが明細としてレシートに印字されている。
【特許文献１】特公平３−７０２７７号公報
【発明の開示】
【発明が解決しようとする課題】
【０００３】
上記のように、従来の医療機関に配置されるＰＯＳレジスタは、代金支払者自身やその関係者が受けた診療費や購入した商品に関する事項のデータのみが印字されるというフォーマットで印字されているため、代金支払者自身やその関係者が受けた診療等に関する明細と他の科目をレシート上で比較して確認したいという要望に応えることができなかった。
【０００４】
本発明は上述の点に鑑みてなされたもので、様々な診療や商品等のデータと代金支払者自身やその関係者が受けた診療や購入した商品等のデータとをも比較可能で、様々な印字形態のレシートを発行できるＰＯＳレジスタを提供することを目的とする。
【課題を解決するための手段】
【０００５】
上記課題を解決するため請求項１に記載の発明は、診療機関に配置され、取引した診療における対価や商品購入の代金の精算の際にレシートを発行するＰＯＳレジスタであって、診療種類を示す部門毎の部門データ、或いは商品毎の商品の名称や値段等の商品データを記憶する記憶手段と、該取引に含まれる部門や商品を特定し前記記憶手段から読み出す読み出し手段と、該取引に含まれない場合であっても部門又は商品について、前記レシートに明細として印字するか否かを決定する選択手段と、前記読み出し手段により読み出された該取引に含まれる部門又は商品に関するデータと、前記選択手段で前記レシートに印字すると決定された部門又は商品に関するデータとを前記レシートに明細として印字し発行するレシート発行手段とを備えたことを特徴とする。
【０００６】
請求項２に記載の発明は、請求項１に記載のＰＯＳレジスタにおいて、前記選択手段は、前記レシートに印字するか否かを前記部門、商品毎に設定可能であることを特徴とする。
【０００７】
請求項３に記載の発明は、請求項１又は２に記載のＰＯＳレジスタにおいて、前記記憶手段の前記部門或いは前記商品は、保険の対象となる保険科目データか、保険の対象とならない自費科目データかが識別され、前記保険の対象となる保険科目の部門或いは商品については、該取引に含まれない場合でも前記レシートに明細として印字し、保険の対象とならない自費科目の部門或いは商品については前記選択手段で明細として印字すると選択された部門又は商品について印字させる制御手段とを有することを特徴とする。
【０００８】
請求項４に記載の発明は、請求項１に記載のＰＯＳレジスタにおいて、前記選択手段により部門又は商品を前記レシートに印字すると選択された場合、予め定まっている該部門や商品毎の保険点数が、前記レシートに印字されることを特徴とする。
【０００９】
請求項５に記載の発明は、診療機関に配置され、取引した診療における対価や商品購入の代金の精算の際にレシートを発行するＰＯＳレジスタであって、診療種類を示す部門毎の部門データ、或いは商品毎の商品の名称や値段等の商品データを記憶する記憶手段と、該取引に含まれる部門や商品を特定し前記記憶手段から読み出す読み出し手段と、前記記憶手段の部門或いは商品は、保険対象となる保険科目データか否かが識別され、前記読み出し手段により読み出された支払い対象となる部門や商品に関するデータと、該部門や商品以外の保険科目データを前記レシートに明細として印字し発行するレシート発行手段とを備えたことを特徴とする。
【発明の効果】
【００１０】
請求項１に記載の発明によれば、常時レシートに印字する部門或いは商品を選択手段により選択をすることで診療を受けていないあるいは購入していない商品や部門つまり、取引に含まれない部門や商品についてもレシートに明細として印字可能となり、例えば、病院にてコンピューターを用いて常時一定のフォーマットで発行され、患者に渡されるレセプトのように、診療を受けた診療データと診療を受けていない診療データ等をレシート上で比較して確認することができるといった様々な印字形態のレシートが発行可能になる。
【００１１】
請求項２に記載の発明によれば、取引に含まれなくてもレシートに印字するか否かを各商品や部門毎に設定可能であるので、比較したい対象をより細かいレベルで選択することができる。
【００１２】
請求項３に記載の発明によれば、保険の対象となる保険科目データについては、取引に含まれない部門や商品に関してもレシートに明細として印字し、保険の対象とならない自費科目の部門或いは商品については選択手段で明細として印字するか否かを選択するので、保険対象の部門等に関しては支払い対象とならない部門と比較して見ることができ、わかりやすい医療明細を印字したレシートを発行でき、且つ、レシートが必要以上に長くなるのを防ぐことが可能となる。
【００１３】
請求項４に記載の発明によれば、選択手段により取引に含まれない商品をレシートに印字すると選択された場合、該商品の点数が該商品データと共にレシートに印字されるので、支払い対象とならない商品についても保険点数を知ることができ、レシートの明細がより分かりやすくなる。
【００１４】
請求項５に記載の発明によれば、保険科目データについては部門や商品毎に選択しなくともレシートに明細として印字し発行されるので、選択の手間や選択自身のし忘れがなく、保険科目データについては支払い対象以外のデータも知ることができる。
【発明を実施するための最良の形態】
【００１５】
以下、本発明の実施の形態例を図面に基づいて説明する。図１は、本発明に係るＰＯＳレジスタ１の外観を示す図で、図１（ａ）は正面図、図１（ｂ）は側面図である。ＰＯＳレジスタ１は表面に触れて様々なデータの入力を行う液晶タッチパネル１２と、商品登録と精算に関して使用頻度の高いファククションキー、テンキー、締めキーとして現計キー１４ａ等が設けられているキー操作部１４とを主な構成とする。
【００１６】
また、ＰＯＳレジスタ１は、内蔵しているレシート印字部によって印刷されるレシートが出てくるレシート発行口９と、商品に付された商品番号を示すバーコードを読み取って商品登録を行うためのスキャナ部６（図示省略）と、患者が受けた診療項目や診療料金、支払い合計金額等を表示する客用表示部１６と、患者を特定するための例えば磁気カードを読み取るカードリーダ部１８とを周辺装置として備えている。
【００１７】
図２は、ＰＯＳレジスタ１の構成を示すブロック図である。ＰＯＳレジスタ１は、ハードディスク部２、ＲＡＭ４、レシート印字部８、スキャナ部６、液晶タッチパネル１２、キー操作部１４、客用表示部１６を備え、これらがバスライン２０を介して相互に接続されている。
【００１８】
ＣＰＵ１０はＰＯＳレジスタ１の各部を制御する制御部（制御手段）である。ハードディスク部２には、ＣＰＵ１０で実行されるＰＯＳレジスタ１の各機能を実行するためのプログラム、商品ファイル（後に詳述：記憶手段）、部門ファイル（後に詳述：記憶手段）、キーレイアウトファイル（ハード的に決まっているキー番号に対応してキー機能が割り付けてられており、これによりキーのレイアウトを自由に設定することが可能になる。）、ＰＯＳレジスタ１で発生した実績データを記憶する実績ファイルが記憶されている。
【００１９】
商品ファイルは図４に示すように、各商品である、例えば薬等、単品ごとの情報が記憶されているファイルであり、商品コードごとに名称、保険点数、部門、印字フラグ、値段等の商品データが記憶されている。
【００２０】
部門ファイルは図３に示すように、部門ごとに情報が記憶されているファイルであり、部門コードごとに名称、印字フラグ（取引に含まれない場合にレシートに明細として印字するか否か）、保険フラグ等（保険の対象か否か）の部門データが記憶されている（同じ分類の商品を束ねるファイル、或いは部門そのものが一つの商品であるものもある。例えば部門ファイルの、部門コード１（初診料）、部門コード６（画像診断科）などは部門ファイルとして設定されているが、それ自体が一つの商品と同様のものも含む。部門コード１１の投薬料には、様々な薬がぶらさがるが、例えば入力される保険点数にてその種類を分ける）。
【００２１】
ＲＡＭ４には図６に示すように、ＣＰＵ１０が動作するためのフラグ、レジスタを記憶するエリア４ａ、４ｂや、一取引において登録された商品に関するデータが順次記憶されていく登録商品テーブルを有し、該登録商品テーブルには、部門エリア４ｃ、印字エリア４ｄ、金額エリア４ｅ、点数エリア４ｆ、合計金額エリア４ｇ、保険種別エリア４ｈ、・・・等がある。
【００２２】
図５は液晶タッチパネル１２の液晶表示面を示し、液晶タッチパネル１２は、液晶表示器の表面上がタッチされたことを検出するセンサ（感圧式、光位置検出式等）が設けられており、保険の種別キーや各部門がキーとして設けられており、各種モードの切替、各種操作ができる。
【００２３】
キー操作部１４には、固定のストロークキー、テンキーの他、使用頻度の高い預現金ーや、取消キー等が設けられている。
【００２４】
レシート印字部８は、レシートを印字したり、実績レポートを印字出力するもので、印字ヘッドや紙送り装置で構成されている。又、印字方式は、熱転写方式、ドットインパクト方式、インクジェット方式、各種の方式を採用することができる。
【００２５】
カードリーダ部１８は、例えば、患者が有している、例えば磁気カードを読み取ることで患者を特定することができる。
【００２６】
スキャナ部６は、例えば薬にその商品を特定するバーコードが付されている場合、バーコードをスキャンするだけで、その薬の商品情報を商品ファイルから読み出し、ＲＡＭ４の登録商品テーブルの各エリアに読み出された各情報が一時記憶される。
【００２７】
なお、以下、実施形態では、液晶タッチパネル１２に表示されたキーを選択するようにしたが、液晶タッチパネルに表示されたキーと同様キーをキー操作部１４のストロークキーに割り振って、該ストロークキーを操作するようにしてもよい。その場合は、キー操作部１４を大きくして、液晶タッチパネル１２を小さくするようにしてもよい。
【００２８】
部門ファイルには、図３に示すように、初診料、入院環境料、看護料、医学管理料、・・・画像診断料、・・・投薬料、・・・選定療養費、健康診断、その他等の部門の種類として設定されている。そして各部門コード毎に、該部門一取引において該取引に含まれない場合にレシートに部門名を印字させるかどうかの印字フラグ（「１」が印字するを「０」が印字しないを示す）、保険対象か否かの保険フラグ（「１」が保険対象を「０」が自費対象を示す）を設けている。部門を指定して登録を行う部門登録をする場合に、保険診療に該当する部門で一つの部門に一つの商品のみしかないような部門については、保険の点数も各部門に対して設定するようにしてもよい。これにより部門を特定するだけで部門の内容と、その保険の点数も特定されるようになる。
【００２９】
商品ファイルは、図４に示すように、各商品毎に、商品コード、名称、保険請求する場合の点数（点数が入力されていない商品は自費商品）、部門コード、一取引において該取引に含まれない場合にレシートに印字するか否かのフラグ（「１」が印字する場合を「０」が印字しない場合を示す）、値段（円）（保険対象の商品は、点数１０を乗じた数字が金額として設定されている。保険の点数は、１点１０円として換算される）が設定されている。
【００３０】
次に、部門を設定して登録する部門登録をする場合の操作処理を図７のフロー図を用いて説明する。以下のフローで部門に該当する保険点数を入力する例を示している。各部門の保険点数は別の表（図示せず）でわかっている。
【００３１】
先ずステップＳＴ１で、患者から提示された保険証に応じて図５に示す液晶タッチパネルの「保険対象切替」の「国３割」（国民健康保険３割負担）、「国２割」（国民健康保険２割負担）、「国１割」（国民健康保険１割負担）、「社３割」（社会保険３割負担）、「社２割」（社会保険２割負担）、「社１割」（社会保険１割負担）、保険外が選択され、ＲＡＭ４の登録商品テーブルの保険種別エリアに、該種別に基づく定数が記憶される。例えば「国３割」の場合は０．３、「国２割」の場合は０．２、ここでは「国３割」が選択されたとする。図８は国民健康保険本人３割負担の患者の会計入力例の登録操作・表示イメージを示す図である。
【００３２】
ステップＳＴ２で、液晶タッチパネル１２に表示される「初診」キーとその点数「８」、「０」とが押され、「初診」キーに該当する部門コード、名称が図３の部門ファイルから読み出され、入力された点数から１点１０円として金額が換算され、レシートに印字される名称、点数、金額がＲＡＭ４内の印字エリア４ｄに一時記憶し、更に部門コードについては部門エリア４ｃに、金額については金額エリア４ｅ、点数については点数エリア４ｆに記憶される（図６参照）。ここで、部門と診療内容等が一対一の関係の場合は、部門に点数を設定させて、部門を選択しただけで点数が読み出せるようにして、点数を入力するのを省くようにしてもよい。
【００３３】
引き続きステップＳＴ２で部門登録される。例えば、液晶タッチパネル１２の「画像診断」キーとその保険点数「１」、「５」、「０」とが押され、「画像診断」に該当する部門コード、部門の名称が部門ファイルから読み出され、入力された点数に基き金額に換算され、名称、点数、金額がＲＡＭ４内の印字エリア４ｄに、先に登録した初診料の名称、点数、金額に順次記憶し、更に部門コードについては部門エリア４ｃに順次記憶し、金額は前記金額エリア４ｅに加算し、点数は前記点数エリア４ｆに加算する。
【００３４】
引き続き、部門登録がされる。例えば液晶タッチパネル１２の「投薬」キーとその点数「５」、「０」とが押され、部門ファイルから部門コード、部門の名称が読み出され、入力した点数から金額に換算し、名称、点数、金額を先に登録されたものに順に、ＲＡＭ４内の印字エリア４ｄに記憶し、更に部門コードについては部門エリア４ｃに順次記憶し、金額は前記金額エリア４ｅに加算し、点数は前記点数エリア４ｆに加算し、記憶する。
【００３５】
次にステップＳＴ３において、他に登録があるかが判断される。ＹＥＳ、即ち他に登録がある場合はステップＳＴ２に戻って登録を繰り返す。ＮＯ、即ち他に部門登録がない場合はステップＳＴ４に移行する。
【００３６】
ステップＳＴ４において、液晶タッチパネル１２の小計キーを押すと、ステップＳＴ２で登録され、ＲＡＭ４内の部門エリアに記憶された部門コード以外の部門コードを部門ファイル中の部門コードでサーチし、その部門コードの印字フラグが「１」である部門の部門名称と、その部門に対する点数「０」、金額「０」とをＲＡＭ４の印字エリア４ｄへ一時記憶する。記憶する順番はレシートに印字する順番であり、登録されたものの後に記憶してもよいし、或いは部門コード順に記憶するようにしてもよい。また、上記のように部門とその診療内容等が一対一の関係になっており、保険点数が設定されている場合で、支払い対象とならない部門を印字する場合、点数は「０」ではなく設定されている点数を印字するようにしてもよい。
【００３７】
このように、支払い対象となっていない部門についても、印字フラグが「１」である場合は、明細としてレシートに印字される。
【００３８】
また、前記ステップＳＴ２で登録され、金額エリアに累積加算された金額データをＳＴ１で入力され、保険種別エリアに記憶された定数０．３を乗算する。これにより請求金額を算出し、消費税を含む合計金額を合計金額エリア４ｇに記憶し、算出された合計金額を液晶タッチパネル１２の画面に表示すると共に、客用表示部１６に表示して患者（支払い者）に合計金額を伝える。また、点数エリア４ｆに記憶された合計点数を合計保険点数とする。
【００３９】
ステップＳＴ５において、預かり金額を入力して、現計キーを押して精算される。続いてステップＳＴ６において、登録商品テーブルの内容（ステップＳＴ４の合計金額データ、ステップＳＴ５の預かり金額データ、釣り銭データと共に印字エリアに記憶された部門名称、点数、金額等の登録データ等）をレシートに印字し、図９に示すようなレシートが発行される。そして、ハードディスク部２の実績ファイルには、部門毎に登録数と金額を加算することで、どの部門の商品がいくら売れたかを確認できるようにする。
【００４０】
また、上記実施形態例では、選択された部門が保険対象の部門のみであったが、例えば健康診断等の自費部門も選択されてもよい。この場合、自費部門が保険対象外なので、保険対象である部門の金額が累積する金額エリアとは別のエリアに自費費用に係る金額が加算され、保険対象となる保険種別の定数が乗算された合計金額データに自費部門の金額エリアに記憶された金額を加算することで、総合計金額データを算出されるようになる。
【００４１】
また、保険対象の部門については、部門毎に印字フラグを設けず保険フラグが立っている場合は、取引に含まれない部門でも常に印字するようにしてもよく（つまり、保険フラグや印字フラグを兼用している）、自費部門にのみ印字フラグを設けるようにしてもよい。これにより、保険診療部門に関しては、選択をしなくても常に印字されるようになるので、他の部門もどのようなものであるかをレシートにて一覧で印字されるので容易に比較することができ、自費部門さえ選択すればよいので操作性が良くなる。
【００４２】
また、商品ファイルを用いて登録するようにしてもよい。例えば商品コード１１１１１１１１の胃薬のキー、１１１１１１１２の解熱剤等のキーを、部門キーと同様に設けて、該キーを押すことで商品登録するようにしてもよい。そして、例えば胃薬キーがタッチされると、その商品が特定され、商品ファイルから胃薬の保険の点数、部門、値段等の情報が読み出され、前記部門登録と同じように、ＲＡＭ４内の登録商品テーブルにそれぞれの登録データが記憶されていく。そして、該商品に投薬料の部門として部門１１が設定されている場合、部門「投薬料」として実績が上がる。
【００４３】
また、商品を登録する場合、例えば各薬を登録する場合、商品コードがバーコード化されたバーコードを読み取ることで商品を登録するようにしてもよい。これにより、キーにて商品を特定する場合と比べて、商品登録の間違いが無くなる。
【００４４】
上記のように各商品を登録する場合、商品ファイルの商品毎に印字フラグを設けて、該印字フラグを「１」にすることで、取引に含まれない商品についてもその商品の明細をレシートに印字することが可能である。このようにする場合は、前記ステップＳＴ４にて部門ファイルをサーチするのと同様、商品ファイル中もサーチする必要がある。また、各商品コード毎に保険点数を設定しておくことで、商品に設定されている保険の点数を印字するようにしてもよい。これにより、患者はどのような薬が何点かを知ることができ、実際の薬の価格を知ることが可能になる。
【００４５】
以上本発明の実施形態を説明したが、本発明は上記実施形態に限定されるものではなく、特許請求の範囲、及び明細書と図面に記載された技術的思想の範囲内において種々の変形が可能である。
【００４６】
なお、レシートに印字される明細として名称、保険点数、値段を示したがこれに限らず他のデータも含んでもよい。また、名称、保険点数、値段の３つが揃わなくても、例えば名称と、値段だけであってもよい。
【００４７】
また、部門ファイルで各部門コード毎に保険フラグを設けるようにしたが、これに限らず、例えば、保険科目用の部門ファイルと、自費科目用の部門ファイルと、のように部門ファイル自体を分けることで、部門コード毎に保険科目を識別する保険フラグを設けないようにしてもよい。また、同時に保険科目用の部門に関しては、印字フラグを設けずに、全ての保険科目に関するデータを、フラグ設定なしで印字させるよう制御してもよい。これにより一つ一つの部門コード毎に保険や印字フラグを立たせることがないので、フラグの設定間違いが無くなり、設定そのものの手間も無くなる。
【図面の簡単な説明】
【００４８】
【図１】本発明に係るＰＯＳレジスタの外観を示す図で、図１（ａ）は正面図、図１（ｂ）は側面図である。
【図２】本発明に係るＰＯＳレジスタの構成を示すブロック図である。
【図３】本発明に係るＰＯＳレジスタの部門ファイル例を示す図である。
【図４】本発明に係るＰＯＳレジスタの商品ファイル例を示す図である。
【図５】本発明に係るＰＯＳレジスタの液晶タッチパネルの表示画面例を示す図である。
【図６】本発明に係るＰＯＳレジスタのＲＡＭ内のデータ格納エリア例を示す図である。
【図７】本発明に係るＰＯＳレジスタの部門登録処理フローを示す図である。
【図８】本発明に係るＰＯＳレジスタの国民健康保険本人３割負担の患者の会計入力例の登録操作・表示イメージを示す図である。
【図９】本発明に係るＰＯＳレジスタで発行されたレシート例を示す図である。
【符号の説明】
【００４９】
１      ＰＯＳレジスタ
２      ハードディスク部
４      ＲＡＭ
６      スキャナ部
８      レシート印字部
９      レシート発行口
１０    ＣＰＵ
１２    液晶タッチパネル
１４    キー操作部
１６    客用表示部
１８    カードリーダ部
２０    バスライン
【図１】
2008040978.tif 000003
【図２】
2008040978.tif 000004
【図３】
2008040978.tif 000005
【図４】
2008040978.tif 000006
【図５】
2008040978.tif 000007
【図６】
2008040978.tif 000008
【図７】
2008040978.tif 000009
【図８】
2008040978.tif 000010
【図９】
2008040978.tif 000011